(57)【要約】【課題】施工時の作業性を飛躍的に向上させることができる照明器具を提供する。【解決手段】照明器具１０は、天井面１に埋設される器具本体１１と、器具本体１１に収容されるランプ１４を装着するソケット１３と、器具本体１１の内側に組み付けられる反射板１５と、器具本体１１に固定される取付ボルト１２と、反射板１５を介して取付ボルト１２にねじ込まれることにより反射板１５を器具本体１１に固定する締結部材１６と、を備え、締結部材１６は、取付ボルト１２の長手方向に長い円筒形状に形成されており、取付ボルト１２の長さよりも十分に短いネジ部３１を有するとともにネジ部３１の両側に座ぐり部を有する。【選択図】図１
2010238397.tif 000002
【特許請求の範囲】
【請求項１】
天井面に埋設される器具本体と、
前記器具本体に収容されるランプを装着するソケットと、
前記器具本体の内側に組み付けられる反射板と、
前記器具本体に固定される取付ボルトと、
前記反射板を介して前記取付ボルトにねじ込まれることにより前記反射板を前記器具本体に固定する締結部材と、
を備える照明器具であって、
前記締結部材は、前記取付ボルトの長手方向に長い円筒形状に形成されており、前記取付ボルトの長さよりも十分に短いネジ部を有するとともに前記ネジ部の両側に座ぐり部を有することを特徴とする照明器具。
【請求項２】
前記締結部材は、外周部に滑り止め部をさらに有することを特徴とする請求項１に記載した照明器具。
【発明の詳細な説明】
【技術分野】
【０００１】
本発明は、例えば住宅等の天井面に埋設されて廊下や壁等を照明するダウンライトに用いられる照明器具に関する。
【背景技術】
【０００２】
従来の照明器具の一例として、ネジ棒の下端部を照明器具の上部ケースの上面に開設されている開孔内に上方から突入させて、上部ケースの下面側に突出したネジ棒の下端部に座金を嵌入し、続いてナットを螺装するようにしたものがある（例えば、特許文献１参照）。
【先行技術文献】
【特許文献】
【０００３】
【特許文献１】特開２００３−３０１８１３号公報（図１７、段落番号０００７）
【発明の概要】
【発明が解決しようとする課題】
【０００４】
ところが、上記特許文献１に開示された従来の照明器具ではナットの長さ寸法が短い。
従って、作業者がねじ込みを行う際に持ち代が少なくなっていて施工性が良好ではない。
【０００５】
例えば、長さ寸法を長くして取付ボルトの長さよりも長い有底のネジ部を有するナットを用いた場合、ネジ部の差し込み方向に方向性を有することになる。
従って、ナットの差し込み方向を直視しながらの作業になって作業性が良好ではない。
【０００６】
本発明は、前述した課題を解決するためになされたものであり、その目的は、施工時の作業性を飛躍的に向上させることができる照明器具を提供することにある。
【課題を解決するための手段】
【０００７】
本発明に係る照明器具は、天井面に埋設される器具本体と、前記器具本体に収容されるランプを装着するソケットと、前記器具本体の内側に組み付けられる反射板と、前記器具本体に固定される取付ボルトと、前記反射板を介して前記取付ボルトにねじ込まれることにより前記反射板を前記器具本体に固定する締結部材と、を備える照明器具であって、前記締結部材は、前記取付ボルトの長手方向に長い円筒形状に形成されており、前記取付ボルトの長さよりも十分に短いネジ部を有するとともに前記ネジ部の両側に座ぐり部を有することを特徴とする。
【０００８】
本発明においては、締結部材が取付ボルトの長手方向に長い円筒形状に形成される。
これにより、作業者に対して十分に長い持ち代を付与する。
従って、作業者は締結部材の十分に長い持ち代を摘まんで取付ボルトへのねじ込みを行うことにより施工時の作業性を飛躍的に向上させることができる。
【０００９】
本発明においては、締結部材が取付ボルトの長さよりも十分に短いネジ部を有する。
これにより、取付ボルトの長さに近い長さのネジ部を有するものと比べて、取付ボルトへのねじ込み時のトルクを多く必要としない。
従って、作業者は締結部材を片手の指で摘まむ等により簡単にねじ込みを行うことができる。
【００１０】
本発明においては、締結部材が取付ボルトの長さよりも十分に短いネジ部の両側に座ぐり部を有する。
これにより、締結部材の取付ボルトへの差し込み方向に方向性がなくなり、作業者はいずれか一方の座ぐり部を取付ボルトに誘導しながらねじ込みを行う。
従って、施工時の作業性を飛躍的に向上させることができる。
【００１１】
本発明に係る照明器具は、上記照明器具において、前記締結部材は、外周部に滑り止め部をさらに有することを特徴とする。
【００１２】
本発明においては、滑り止め部はローレットやセレーション或いは六角等の多角形が選ばれる。
これにより、滑り止め部としてローレットを選んだ場合、作業者は作業時に締結部材の外周のローレットを摘まんで取付ボルトへのねじ込みを行う。
従って、滑りを生ずることなくねじ込みを行うことにより締結部材を落としてしまうような不具合を起こすことなく確実な施工を行うことができる。
【発明の効果】
【００１３】
本発明の照明器具によれば、締結部材が取付ボルトの長手方向に長い円筒形状に形成され、取付ボルトの長さよりも十分に短いネジ部を有するとともにネジ部の両側に座ぐり部を有する。
これにより、作業者に対して十分に長い持ち代を付与することができるとともに取付ボルトへのねじ込み時のトルクを多く必要とせずに締結部材の取付ボルトへの差し込み方向に方向性がなくなって、施工時の作業性を飛躍的に向上させることができるという効果を有する。
【図面の簡単な説明】
【００１４】
【図１】本発明に係る一実施形態の照明器具の縦断面図
【図２】図１に示した照明器具に適用される締結部材の一部破断側面図
【発明を実施するための形態】
【００１５】
以下、本発明の一実施形態に係る照明器具について図面を参照して説明する。
【００１６】
図１に示すように、本発明の一実施形態である照明器具１０は、器具本体１１と、取付ボルト１２と、ソケット１３と、ランプ１４と、反射板１５と、締結部材１６と、を備えて住宅等の天井面１に形成された取付穴２に取り付けられる。
【００１７】
器具本体１１は、比較的薄い金属製板部材をプレス成形することにより下方を開放した垂直断面視コ字形状に形成されている。器具本体１１は天板１７と周板１８とフランジ部１９とを有する。
【００１８】
天板１６は、その中央部に取付ボルト１２を固定している。取付ボルト１２は、その頭部２０を例えば溶接等により天板１７に接合しており、その雄ネジ部２１を天井面１に対向する床面に向けて延出している。取付ボルト１２は雄ネジ部２１が長さ寸法Ｌ１を有する。
【００１９】
周板１８は、その外周部に複数の取付金具２２を取り付けている。取付金具２２は内蔵された不図示の付勢手段により、その外径を大きくするように常時付勢されている。取付金具２２は天井面１の取付穴２に対して器具本体１１が天板１７を先にして挿入していった際に付勢手段に抗して外径を小さくする。その後に、外径を大きくするように復元して天井面１の裏面側に係止し、器具本体１１を天井面１から落下不能に支持する。
【００２０】
周板１８は、その一部にソケット固定部２３を形成している。ソケット固定部２３は例えば円形に切除されており、天井面１に対して予め定められた角度傾斜させてソケット１３を組み付けている。ソケット１３には蛍光型ランプであるランプ１４が装着される。
【００２１】
フランジ部１９は周板１８の下部に鍔形状に突出している。フランジ部１９は天井面１の取付穴２に対して器具本体１１を挿入していった際に、天井面１に当接して器具本体１１を位置決めする。
【００２２】
反射板１５は、比較的薄い金属製板部材をプレス成形することにより器具本体１１に相似する下方を開放した垂直断面視コ字形状に形成されている。反射板１５は天板２４と周板２５とフランジ部２６とを備えて形成されている。
【００２３】
天板２４は、その中央部に取付ボルト穴２７を形成している。取付ボルト穴２７は取付ボルト１２の雄ネジ部２１の外径寸法よりもわずかに大きい内径寸法を有する。
【００２４】
周板２５は、その一部にランプ挿入穴２８を形成している。ランプ挿入穴２８は器具本体１１のソケット１３に対応した位置に逆Ｕ字形状に切除されている。
【００２５】
フランジ部２６の外周には枠体２９が取り付けられている。枠体２９は円環形状に形成されており、天井面１との間にパッキン３０を配置している。
【００２６】
図２に示すように、締結部材１６は、取付ボルト１２の雄ネジ部２１の長手方向に沿って長い長さ寸法Ｌ２を有する円筒形状に形成されている。締結部材１６は雌ネジ部３１と一対の座ぐり部３２，３３と滑り止め部であるローレット形成部３４とを有する。
【００２７】
雌ネジ部３１は締結部材１６の全体の長さ寸法Ｌ２よりも十分に短い長さ寸法Ｌ３を有する。
【００２８】
座ぐり部３２，３３はネジ部３１の両側にそれぞれ配置されている。座ぐり部３２，３３は雌ネジ部３１の長さ寸法Ｌ３よりも短い長さ寸法Ｌ４をそれぞれ有する。
【００２９】
ローレット形成部３４は締結部材１６の外周全周に凹凸面を形成している。なお、滑り止め部としてはローレット形成部３４に代えて、セレーション或いは六角等の多角形を選択することができる。
【００３０】
次に、照明器具１０の施工手順について説明する。
【００３１】
まず、器具本体１１を天井面１に設置する作業を行う。
【００３２】
器具本体１１を天井面１に設置するにあたり、器具本体１１を天井面１の取付穴２に対して天板１７を先にして挿入していくことにより取付金具２２が天井面１の裏面側に係止して器具本体１１が天井面１に設置される。
【００３３】
次に、反射板１５を器具本体１１に組み付ける作業を行う。
【００３４】
反射板１５を器具本体１１に組み付けるにあたり、反射板１５のランプ挿入穴２８をソケット１３に外装しながら、反射板１５の取付ボルト穴２７を器具本体１１の取付ボルト１２に挿通していく。
【００３５】
枠体２９上のパッキン３０が天井面１に当接した後に反射板１５の器具本体１１への挿入を停止し、反射板１５の取付ボルト穴２７から突出している取付ボルト１２のネジ部２１に締結部材１６をねじ込んでいく。
【００３６】
締結部材１６の取付ボルト１２へのねじ込みが終了した後に、反射板１５の下方からランプ１４を挿入し、ランプ１４をソケット１３に装着することにより照明器具１０の天井面１への施工が完了する。
【００３７】
このとき、締結部材１６は取付ボルト１２の雄ネジ部２１の長手方向に長い円筒形状に形成されている。
これにより、作業者は十分に長い持ち代を摘まんで作業を行うことができる。
【００３８】
また、締結部材１６は取付ボルト１２の雄ネジ部２１の長さ寸法Ｌ１よりも十分に短い長さ寸法Ｌ３の雌ネジ部３１を有する。
これにより、取付ボルト１２の長さに近い長さのネジ部を有するものと比べて、取付ボルト１２へのねじ込み時のトルクを多く必要としない。
【００３９】
そして、締結部材１６は取付ボルト１２の長さ寸法Ｌ１よりも十分に短い雌ネジ部３１の両側に座ぐり部３２，３３を有する。
これにより、取付ボルト１２への差し込み方向に方向性がなくなり、作業者は一方の座ぐり部３２または他方の座ぐり部３３を取付ボルト１２に誘導しながらねじ込みを行う。
【００４０】
加えて、締結部材１６は滑り止め部としてのローレット形成部３４が形成されている。
これにより、作業者は作業時に締結部材１６の外周のローレット形成部３４を摘まんで取付ボルト１２へのねじ込みを行う。
【００４１】
本発明の一実施形態の照明器具１０では、締結部材１６が取付ボルト１２の長手方向に長い円筒形状に形成される。
これにより、作業者に対して十分に長い持ち代を付与する。
従って、作業者は締結部材１６の十分に長い持ち代を摘まんで取付ボルト１２へのねじ込みを行うことにより施工時の作業性を飛躍的に向上させることができる。
【００４２】
本発明の一実施形態の照明器具１０では、締結部材１６が取付ボルト１２の長さよりも十分に短い雌ネジ部３１を有する。
これにより、取付ボルト１２の長さに近い長さのネジ部を有するものと比べて、取付ボルト１２へのねじ込み時のトルクを多く必要としない。
従って、作業者は締結部材１６を片手の指で摘まむ等により簡単にねじ込みを行うことができる。
【００４３】
本発明の一実施形態の照明器具１０では、締結部材１６が取付ボルト１２の長さよりも十分に短い雌ネジ部３１の両側に座ぐり部３２，３３を有する。
これにより、締結部材１６の取付ボルト１２への差し込み方向に方向性がなくなり、作業者は一方の座ぐり部３２または他方の座ぐり部３３を取付ボルト１２に誘導しながらねじ込みを行う。
従って、施工時の作業性を飛躍的に向上させることができる。
【００４４】
本発明の一実施形態の照明器具１０では、滑り止め部としてローレット形成部３４が選ばれている。
これにより、作業者は作業時に締結部材１６の外周のローレット形成部３４を摘まんで取付ボルト１２へのねじ込みを行う。
従って、滑りを生ずることなくねじ込みを行うことにより締結部材１６を落としてしまうような不具合を起こすことなく確実な施工を行うことができる。
【００４５】
なお、前記各実施形態で使用した器具本体１１、ソケット１３、反射板１５等は例示したものに限定するものではなく適宜変更が可能である。
【符号の説明】
【００４６】
１  天井面
１０  照明器具
１１  器具本体
１２  取付ボルト
１３  ソケット
１４  ランプ
１５  反射板
１６  締結部材
３１  雌ネジ部（ネジ部）
３２、３３  座ぐり部
３４  ローレット形成部（滑り止め部）
【図１】
2010238397.tif 000003
【図２】
2010238397.tif 000004